(57)【特許請求の範囲】
【請求項１】
散布液を放出するノズル（２７）と、
該ノズル（２７）が装着されるランス（２５）と、
該ランス（２５）に固定され作業者に把持されるグリップ（２１）と、
該グリップ（２１）を把持する手の親指側に位置して前記グリップ（２１）の長手方向と直角な回転軸回りに回動自在なダイヤル（８１）を持ち、該ダイヤル（８１）の回動位置に応じて前記散布液の流量を制御する流量バルブ（５０）とを備え、前記ダイヤル（８１）は扇状に形成されたことを特徴とする散布装置。
【請求項２】
前記流量バルブ（５０）は、
ボデー（５９）と、
該ボデー（５９）に形成され前記散布液の供給を受ける水入口（５９ａ）と、
前記ボデー（５９）に形成され前記散布液を前記ノズル（２７）に送出する水出口（５９ｂ）と、
前記水入口（５９ａ）及び前記水出口（５９ｂ）の間を仕切る弁（７１）と、
該弁（７１）が着座する弁座（５８）と、
該弁座（５８）方向に向けて前記弁（７１）を付勢する付勢手段（７５）と、
前記ボデー（５９）に螺合されるとともに端部を前記弁座（５８）側から前記弁（７１）に当接させ、かつ螺進操作により前記弁（７１）の前記弁座（５８）からの変位量を増大させるスピンドル（７７）とを備え、
前記ダイヤル（８１）は前記スピンドル（７７）に固定されることを特徴とする請求項１記載の散布装置。
【請求項３】
前記ボデー（５９）内には、前記ボデー（５９）に着脱自在なプラグ（７３）と前記ボデー（５９）とで画定されるバルブ室（６１）が形成され、
前記弁（７１）、前記弁座（５８）及び前記付勢手段（７５）は前記バルブ室（６１）に収容されることを特徴とする請求項２記載の散布装置。
【請求項４】
前記弁（７１）は球体であることを特徴とする請求項２又は３記載の流量バルブ。
【請求項５】
前記弁座（５８）の前記水入口（５９ａ）側に前記弁（７１）が配設されたことを特徴とする請求項２、３又は４記載の散布装置。
【発明の詳細な説明】
【０００１】
【発明の属する技術分野】
本発明は散布装置に係わり、特に片手で容易に流量調整ができ、メンテナンスも簡単な散布装置に関する。
【０００２】
【従来の技術】
図５に背負式動力噴霧機の側面図を示す。図５において、背負枠１の上部にはタンク３が載置されている。背負枠１の底部には、エンジン５とこのエンジン５により駆動されるポンプ７が配設されている。
【０００３】
図６にポンプ７の周辺詳細図を示す。タンク３に貯留された薬液は、給水ホース９を介してポンプ７に取り付けられた給水金具８の給水口１１よりポンプ７に導入される。ポンプ７で加圧された薬液は、ポンプ７に取り付けられた吐出金具１４の吐出口１３及び余水口１５に送られる。
【０００４】
余水口１５には余水ホース１７が接続され、タンク３における薬液の攪拌及び圧力調整のため薬液の一部がタンク３に戻される。一方、吐出口１３には図７に示す吐出ホース１９が接続されている。
【０００５】
吐出ホース１９の端部にはグリップ２１が取り付けられ、把持され易いようになっている。グリップ２１の先端には流量バルブ２３を介してランス２５が配設されている。そして、ランス２５の先端にはノズル２７が設けられている。流量バルブ２３の側面断面図を図８に示す。また、図９に図８中のＡ−Ａ矢視断面図を示す。
【０００６】
図８及び図９において、ボデー２９の右方には水入口２９ａ、左方には水出口２９ｂが形成されている。そして、水入口２９ａと水出口２９ｂの間には、弁座２９ｃがボデー本体を内径側に膨出させることで形成されている。
【０００７】
弁座２９ｃの内側には流水路２９ｄが形成され、水出口２９ｂに続いている。弁３１は球体であり、この弁３１は、止メリング３３により一端部を止められたバネ３５により弁座２９ｃに着座するように付勢されている。
【０００８】
弁３１の上方と下方には、それぞれ貫通穴３９ａ、３９ｂが配設されており、この貫通穴３９ａ、３９ｂ内をピン３７ａ、３７ｂが摺動自在である。ピン３７ａ、３７ｂの一端は弁３１に当接され、ピン３７ａ、３７ｂの他端はボデー２９より突出されている。
【０００９】
そして、ボデー２９の周囲には、ハンドル４１が回動自在に配設され、ピン３７ａ、３７ｂの他端はこのハンドル４１の内側に形成された偏芯凹部４３内を摺動する。偏芯凹部４３が形成されるハンドル４１内面は円形であり、このハンドル４１内面に対峙するボデー２９外周も円形である。ボデー２９の軸芯とハンドル４１の偏芯凹部４３の中心とは所定の偏差を持たせている。ピン３７の所定周囲にはＯリング４５が配設されている。
【００１０】
ハンドル４１の外観図を図１０に示す。ハンドル４１の側部表面には開度を示す数字４７が記載されている。図９において、ハンドル４１を左回転させると、ハンドル４１の内面に押されて、ピン３７ａはボデー２９の中心に向かい下降され、一方、ピン３７ｂはボデー２９の中心より離れるように下降される。
【００１１】
このように、弁３１が下方に押されることで弁３１を弁座２９ｃからはなす。流量バルブ２３内を流れる水量は、弁３１と弁座２９ｃの開度で調整される。ハンドル４１を元の位置に戻すと、ピン３７ａ、３７ｂはバネ３５の付勢力により復帰する。流量バルブ２３でランス２５内の水量を調整すると、同時にランス２５内の圧力も変化し、結果的にノズル２７から放出される霧を変えることが出来る。
【００１２】
【発明が解決しようとする課題】
ところで、従来の流量バルブ２３では、グリップ２１を右手で握った場合、流量バルブ２３のハンドル４１は左手で回さなければならない。そのため片手操作ができなかった。
【００１３】
また、ハンドル４１の開度を示す数字４７は、ハンドル形状が丸形のため、外観から一目で開度を推測することが出来なかった。
【００１４】
更に、流量バルブ２３では、弁３１の側面をピン３７で押すため、弁３１がブレ、弁座２９ｃ等に偏摩耗が生じやすい。
【００１５】
更に、弁座２９ｃがボデー２９に一体で形成されており、弁座２９ｃが摩耗した場合、ボデー２９を交換しなければならない。但し、ボデー２９を交換するためには、流量バルブ２３を分解、組立する必要があるが、流量バルブ２３は構造上、分解、組立が困難でメンテナンスがしにくい。このためボデー２９を交換する場合であっても結局、流量バルブ２３全体のアッセンブリ交換になりやすい。本発明はこのような従来の課題に鑑みてなされたもので、片手で容易に流量調整ができ、メンテナンスも簡単な散布装置を提供することを目的とする。
【００１６】
【課題を解決するための手段】
このため本発明（請求項１）は、散布液を放出するノズル（２７）と、該ノズル（２７）が装着されるランス（２５）と、該ランス（２５）に固定され作業者に把持されるグリップ（２１）と、該グリップ（２１）を把持する手の親指側に位置して前記グリップ（２１）の長手方向と直角な回転軸回りに回動自在なダイヤル（８１）を持ち、該ダイヤル（８１）の回動位置に応じて前記散布液の流量を制御する流量バルブ（５０）とを備えて構成した。
【００１７】
ダイヤル（８１）は、グリップ（２１）を把持する手の親指側に位置して、グリップ（２１）の長手方向と直角な回転軸回りに回動自在である。このため、グリップ（２１）を持つ手の親指でダイヤル（８１）を簡単に回せる。
【００１８】
また、本発明（請求項２）は、前記ダイヤル（８１）は扇状に形成されたことを特徴とする。
ダイヤル（８１）が扇状のため、外観上、弁（７１）の開度が容易にわかる。
【００１９】
更に、本発明（請求項３）は、前記流量バルブ（５０）は、ボデー（５９）と、該ボデー（５９）に形成され前記散布液の供給を受ける水入口（５９ａ）と、前記ボデー（５９）に形成され前記散布液を前記ノズル（２７）に送出する水出口（５９ｂ）と、前記水入口（５９ａ）及び前記水出口（５９ｂ）の間を仕切る弁（７１）と、該弁（７１）が着座する弁座（５８）と、該弁座（５８）方向に向けて前記弁（７１）を付勢する付勢手段（７５）と、前記ボデー（５９）に螺合されるとともに端部を前記弁座（５８）側から前記弁（７１）に当接させ、かつ螺進操作により前記弁（７１）の前記弁座（５８）からの変位量を増大させるスピンドル（７７）とを備え、前記ダイヤル（８１）は前記スピンドル（７７）に固定されることを特徴とする。
このように、スピンドル（７７）が端部を弁座（５８）側から弁（７１）に当接させて弁（７１）を押すことにより、従来技術のように側方から弁を押したときのような弁（７１）の偏心を生じさせず、弁（７１）のぶれをなくすことが出来る。
【００２０】
更に、本発明（請求項４）は、前記ボデー（５９）内には、前記ボデー（５９）に着脱自在なプラグ（７３）と前記ボデー（５９）とで画定されるバルブ室
（６１）が形成され、前記弁（７１）、前記弁座（５８）及び前記付勢手段（７５）は前記バルブ室（６１）に収容されることを特徴とする。
以上により、プラグ（７３）をボデー（５９）より外すことで、弁座（５８）、弁（７１）のメンテナンスが容易にできる。また、弁座（５８）はボデー（５９）と別離可能であり、摩耗時は弁座（５８）のみの交換が可能である。
【００２１】
更に、本発明（請求項５）は、前記弁（７１）は球体であることを特徴とする。
このことにより、弁（７１）の回転による自浄作用を生じゴミがはさまりにくい。
【００２２】
更に、本発明（請求項６）は、前記弁座（５８）の前記水入口（５９ａ）側に前記弁（７１）が配設されたことを特徴とする。
このことにより、弁（７１）は水入口（５９ａ）から導入された液体の流体圧力により弁座（５８）に押圧され、この流体圧力が高まるのに比例して密閉性が増す。
【００２３】
【発明の実施の形態】
以下、本発明の実施形態について説明する。本発明の実施形態である流量バルブの構成図を図１に示す。図１において、流量バルブ５０のボデー５９右方には水入口５９ａ、左方には水出口５９ｂが形成されている。
【００２４】
そして、水入口５９ａと水出口５９ｂの間のボデー５９下部は、水入口５９ａ及び水出口５９ｂの軸芯より下方に向けて突設され、この下方突設部５９ｄの内側にバルブ室６１が形成されている。バルブ室６１の右上方は水入口５９ａと連通され、バルブ室６１の上には弁座５８が配設され、この弁座５８の中央には流水口５１が開けられている。
【００２５】
流水口５１は、流水路５９ｅを通じて水出口５９ｂに続いている。弁７１は球体であり、この弁７１は、プラグ７３により一端部を止められたバネ７５により弁座５８に着座するように付勢されている。
【００２６】
プラグ７３は、ボデー５９の下方突設部５９ｄの内側に対しボデー５９外方よりネジ止めされている。弁７１の上部には流水口５１を通り、スピンドル７７の下端が当接されるようになっている。スピンドル７７は、下端より上方に向けて所定長分次第に拡開するように形成されている。
【００２７】
ボデー５９上部の下方突設部５９ｄに対峙する位置には上方突設部５９ｆが形成されている。上方突設部５９ｆの上部内側にはスピンドル７７との間にネジ８３が形成されており、このネジ８３によりスピンドル７７が回動されるとスピンドル７７は上下するようになっている。
【００２８】
そして、スピンドル７７の上部は、この上方突設部５９ｆより外部に突出され、この突出部分にはダイヤル８１が挿入され、このダイヤル８１をナット７９が止めている。上方突設部５９ｆの外周には１８０度隔てた位置に一対の突起部８７が形成されている。
【００２９】
一方、ダイヤル８１の側部には、中心に向けて小ネジ８５が取り付けられている。そして、この小ネジ８５の先端側部が突起部８７に掛かることで、ダイヤル８１の回動がほぼ１８０度程度の範囲内に規制されるようになっている。ダイヤル８１は扇形に形成されている。
【００３０】
次に、本発明の実施形態の動作を説明する。
図２に流量バルブ５０の使用状態を示す。片手でグリップ２１を持ちつつ親指でダイヤル８１を操作可能である。図１に示した状態は、弁７１がバネ７５によって弁座５８に押圧された状態であり、ダイヤル８１が図３に示すように閉側に一杯に回された位置にある。この場合、水は流れない。
【００３１】
次に、ダイヤル８１を図３の状態から図４に示すように高圧方向に回転させると、スピンドル７７はネジ８３により下方へ移動され、スピンドル７７の下端は弁７１を弁座５８から放す。
【００３２】
その結果、流水口５１には水が流れる。ダイヤル８１は高圧から閉の間の途中に止めることも可能であり、ダイヤル８１の回転角度に対応して、流量制御が可能である。弁７１は下方からの流体圧力により弁座５８に押圧され、この流体圧力が高まるのに比例して密閉性が増す構造となっている。
【００３３】
以上により、親指でダイヤル８１を回動操作できるため、片手操作が可能である。また、弁座５８はボデー５９と別に構成されており、摩耗時は弁座５８のみの交換が可能である。この際には、プラグ７３をボデー５９の下方突設部５９ｄより外すことで、弁座５８、弁７１のメンテナンスが容易にできる。
【００３４】
更に、スピンドル７７は弁７１の中心上部を押すため、弁７１のブレが起きにくい。更に、ダイヤル８１が扇形のため、外観上、弁７１の開度が容易にわかる。更に、弁７１が球体のため、回転による自浄作用を生じゴミがはさまりにくい。
【００３５】
【発明の効果】
以上説明したように本発明によれば、ダイヤル（８１）は、グリップ（２１）を持つ手の親指で簡単に回せる。また、スピンドル（７７）が端部を弁座（５８）側から弁（７１）に当接させて弁（７１）を押すことにより、弁（７１）の偏心を生じさせず、弁（７１）にはブレが起きにくい。
【図面の簡単な説明】
【図１】  本発明の実施形態である流量バルブの構成図
【図２】  流量バルブの使用状態を示す図
【図３】  ダイヤルが閉側に一杯に回された場合
【図４】  ダイヤルが高圧側に一杯に回された場合
【図５】  背負式動力噴霧機の側面図
【図６】  ポンプの周辺詳細図
【図７】  ノズル周辺を示す図
【図８】  従来の流量バルブの側面断面図
【図９】  図８中のＡ−Ａ矢視断面図
【図１０】  ハンドルの外観図
【符号の説明】
５０  流量バルブ
５８  弁座
５９  ボデー
５９ａ  水入口
５９ｂ  水出口
５９ｄ  下方突設部
５９ｆ  上方突設部
６１  バルブ室
７１  弁
７３  プラグ
７５  バネ
７７  スピンドル
７９  ナット
８１  ダイヤル
８３  ネジ
８５  小ネジ
８７  突起部
【図１】
0003734409.tif 000002
【図２】
0003734409.tif 000003
【図３】
0003734409.tif 000004
【図４】
0003734409.tif 000005
【図５】
0003734409.tif 000006
【図６】
0003734409.tif 000007
【図７】
0003734409.tif 000008
【図８】
0003734409.tif 000009
【図９】
0003734409.tif 000010
【図１０】
0003734409.tif 000011